(57)【要約】      （修正有）【課題】径間の短いポストテンション方式のＰＣ構造物に並列して複数配設されたＰＣケーブルシース内へのグラウト注入・充填をＰＣケーブルシース個々に行うのでなく、一括実施できるようにする。【解決手段】第１のＰＣケーブルシース２ａのグラウト注入側に圧送ポンプ５を接続し、この第１のＰＣケーブルシースのグラウト排出側とこれに隣接する第２のＰＣケーブルシース２ｂのグラウト注入側とを接続ホースにより接続し、さらに第３、第４・・・のＰＣケーブルシースが配設される場合には、第１と第２のＰＣケーブルシース間と同様の接続を繰り返すことによって、すべてのＰＣケーブルシースを直列に接続し、そして最後に接続されたＰＣケーブルシースのグラウト排出側に真空ポンプ６を接続し、前記真空ポンプで複数のＰＣケーブルシース内を減圧しつつ前記圧送ポンプを運転して、前記複数のＰＣケーブルシース内にグラウトを一括注入・充填する。【選択図】図１
2006144283.tif 000002
【特許請求の範囲】
【請求項１】
径間の短いＰＣケーブルシースが複数並列して配設されたポストテンション方式のＰＣ構造物の構築施工におけるグラウト注入工法において、
第１のＰＣケーブルシースのグラウト注入側に圧送ポンプを接続し、この圧送ポンプを接続した第１のＰＣケーブルシースのグラウト排出側とこれに隣接する第２のＰＣケーブルシースのグラウト注入側とをホースにより直列に接続し、
さらに第３、第４・・・のＰＣケーブルシースが配設される場合には、前記第１と第２のＰＣケーブルシース間の接続と同様の接続を繰り返すことによって、すべてのＰＣケーブルシースを直列に接続し、
そして接続の最後となったＰＣケーブルシースのグラウト排出側に真空ポンプを接続した後、前記真空ポンプにより前記複数のＰＣケーブルシース内を減圧しながら、前記圧送ポンプを連続運転して、前記複数のＰＣケーブルシース内に一度にグラウトを注入・充填することを特徴とするポストテンション方式ＰＣ構造物の構築施工におけるグラウト注入工法。
【請求項２】
径間の短いＰＣケーブルシースが複数並列して配設されたポストテンション方式のＰＣ構造物の構築施工におけるグラウト注入工法において、
前記ＰＣケーブルシースに挿通されたＰＣ鋼材が、グラウト注入・排出用の貫通孔を１又は複数個穿設した支圧板とくさびによって定着され、その定着部を保護するキャップに配設されたグラウト注入・排出用ホース取付口とＰＣケーブルシースとが前記支圧板のグラウト注入・排出用の１又は複数の貫通孔を介して連通し、
第１のＰＣケーブルシースのグラウト注入側のキャップのホース取付口に圧送ポンプを接続し、この圧送ポンプを接続した第１のＰＣケーブルシースのグラウト排出側のキャップのホース取付口とこれに隣接する第２のＰＣケーブルシースのグラウト注入側のキャップのホース取付口とをホースで接続して、前記第１のＰＣケーブルシースと第２のＰＣケーブルシースとを直列に接続し、
さらに、第３、第４・・・のＰＣケーブルシースが配設される場合には、前記第１と第２のＰＣケーブルシースのキャップのホース取付口間の接続と同様の接続を繰り返すことによって、すべてのＰＣケーブルシースを直列に接続し、
そして接続の最後となるＰＣケーブルシースのグラウト排出側のキャップのホース取付口に真空ポンプを接続した後、前記真空ポンプにより前記複数のＰＣケーブルシース内及び各キャップ内を減圧しながら、前記圧送ポンプを連続運転して、前記複数のＰＣケーブルシース内及びキャップ内に一度にグラウトを注入・充填することを特徴とするポストテンション方式ＰＣ構造物の構築施工におけるグラウト注入工法。
【発明の詳細な説明】
【技術分野】
【０００１】
本発明は、ポストテンション方式のＰＣ構造物、特に短いＰＣケーブルシースが複数並列して配設されたポストテンション方式ＰＣ構造物の構築施工におけるグラウト注入工法に関する。
【背景技術】
【０００２】
橋梁、高架橋、建築物など、ポストテンション方式ＰＣ構造物においては、ＰＣ鋼材を緊張・定着した後にＰＣケーブルシースの内壁とＰＣ鋼材との間にグラウトが注入・充填される。
これらＰＣ構造物のほとんどは、隣接して並列に配設された複数のＰＣケーブルシースを有しており、各ＰＣケーブルシース内へのグラウト注入・充填は、その長短にかかわらずそれぞれのＰＣケーブルシースごとに行われている。
【０００３】
一方、ＰＣケーブルシース内へのグラウトの注入・充填を効果的に行う工法として、ＰＣケーブルシースのグラウト注入側に圧送ポンプを、排出側に真空ポンプを接続し、前記真空ポンプによりＰＣケーブルシース内を減圧した後、圧送ポンプを稼働して前記ＰＣケーブルシース内にグラウトを注入・充填する真空引き工程を含むグラウト注入工法が知られている。
この真空引き工程を含むグラウト注入工法は、ＰＣケーブルシース内にグラウトの未充填部分を残さないようにする手段として案出されたものであるが、真空ポンプの吸引力と圧送ポンプの注入圧力とが相まって、圧送ポンプのみによるグラウト注入・充填に比べて、その充填可能距離を伸ばすことにもなっている。
ポストテンション方式のＰＣ構造物において、ＰＣケーブルシース内にグラウトの未充填部分が生じる要因としては、セメントと水と混和剤の混合物であるグラウトがＰＣケーブルシース内で固化するまでの間に分離し、分離した水が蒸発して空隙を生じるブリージングや、ＰＣケーブルシースの下降部でグラウトがＰＣケーブルシースの内壁下面に沿って先流れすることによって発生する空気溜まり等がある。
これらの防止対策としては、混合する水分量が少なく（水セメント比が小さく）てブリージング水の滲出の少ない、そして先流れも起こしにくい高粘性のグラウトが使用されているが、この高粘性のグラウトを圧送ポンプだけでＰＣケーブルシース内へ注入・充填するには大きな注入圧力が必要となる。
これに対して真空引き工程を含むグラウト注入工法は、ＰＣケーブルシースの排出側に接続した真空ポンプによりＰＣケーブルシース内を減圧するので、注入されるグラウトに吸引力が働き、高粘度のグラウトでも圧送ポンプの圧入力を高めることなく効率よく注入でき、またＰＣケーブルシース内の空気が希薄になるので先流れによる空気溜まりが生じたとしても容積の小さなものとなる。低粘性で流動性に富んだグラウトでも大きな空気溜まりを生じることがなく、１００ｍを超える長さのＰＣケーブルシース内へ一挙にグラウトを注入・充填することも可能になっている。
【特許文献１】特許第３５８４０２４号公報
【特許文献２】特開２００４−１００２７４号公報
【特許文献３】特開２０００−６４６１８号公報
【発明の開示】
【発明が解決しようとする課題】
【０００４】
ＰＣ構造物に隣接して並列配設された複数のＰＣケーブルシース内へのグラウト注入・充填は、前述のように、各ＰＣケーブルシース内へのグラウト注入・充填が、その長短にかかわらずそれぞれのＰＣケーブルシースごとに行われている。したがって、グラウトを注入・充填するＰＣケーブルシースごとに圧送ポンプや真空ポンプをつなぎ替える作業が必要となっている。この作業は径間の長いＰＣケーブルシースの場合はともかく、径間の短いＰＣケーブルシースの場合には、圧送ポンプや真空ポンプを接続し直す手間が煩雑になり、作業効率の面から無視できなくなる。
【０００５】
そこで本発明は、径間の短いポストテンション方式のＰＣ構造物に並列して複数配設されたＰＣケーブルシース内へのグラウト注入・充填を、個々のＰＣケーブルシースごとに圧入ポンプや真空ポンプをつなぎ替えて行うのでなく、一括実施できるようにすることを課題とした。
【課題を解決するための手段】
【０００６】
本発明者らは上記課題を下記の手段により解決した。
（１）径間の短いＰＣケーブルシースが複数並列して配設されたポストテンション方式のＰＣ構造物の構築施工におけるグラウト注入工法において、
第１のＰＣケーブルシースのグラウト注入側に圧送ポンプを接続し、この圧送ポンプを接続した第１のＰＣケーブルシースのグラウト排出側とこれに隣接する第２のＰＣケーブルシースのグラウト注入側とをホースにより直列に接続し、
さらに第３、第４・・・のＰＣケーブルシースが配設される場合には、前記第１と第２のＰＣケーブルシース間の接続と同様の接続を繰り返すことによって、すべてのＰＣケーブルシースを直列に接続し、
そして接続の最後となったＰＣケーブルシースのグラウト排出側に真空ポンプを接続した後、
前記真空ポンプにより前記複数のＰＣケーブルシース内を減圧しながら、前記圧送ポンプを連続運転して、前記複数のＰＣケーブルシース内に一度にグラウトを注入・充填することを特徴とするポストテンション方式ＰＣ構造物の構築施工におけるグラウト注入工法。
【０００７】
（２）径間の短いＰＣケーブルシースが複数並列して配設されたポストテンション方式のＰＣ構造物の構築施工におけるグラウト注入工法において、
前記ＰＣケーブルシースに挿通されたＰＣ鋼材が、グラウト注入・排出用の貫通孔を１又は複数個穿設した支圧板とくさびによって定着され、その定着部を保護するキャップに配設されたグラウト注入・排出用ホース取付口とＰＣケーブルシースとが前記支圧板のグラウト注入・排出用の１又は複数の貫通孔を介して連通し、
第１のＰＣケーブルシースのグラウト注入側のキャップのホース取付口に圧送ポンプを接続し、この圧送ポンプを接続した第１のＰＣケーブルシースのグラウト排出側のキャップのホース取付口とこれに隣接する第２のＰＣケーブルシースのグラウト注入側のキャップのホース取付口とをホースで接続して、前記第１のＰＣケーブルシースと第２のＰＣケーブルシースとを直列に接続し、
さらに、第３、第４・・・のＰＣケーブルシースが配設される場合には、前記第１と第２のＰＣケーブルシースのキャップのホース取付口間の接続と同様の接続を繰り返すことによって、すべてのＰＣケーブルシースを直列に接続し、
そして接続の最後となるＰＣケーブルシースのグラウト排出側のキャップのホース取付口に真空ポンプを接続した後、前記真空ポンプにより前記複数のＰＣケーブルシース内及び各キャップ内を減圧しながら、前記圧送ポンプを連続運転して、前記複数のＰＣケーブルシース内及びキャップ内に一度にグラウトを注入・充填することを特徴とするポストテンション方式ＰＣ構造物の構築施工におけるグラウト注入工法。
なお、本願発明のグラウト注入工法は、径間の短いＰＣケーブルシースが多数並列して配設されるＰＣ構造物に適用され、前記短いＰＣケーブルシースは通常１０〜５０ｍ、好ましくは１０〜３０ｍである。
【発明の効果】
【０００８】
（ア）請求項１の発明によれば、
径間の短いポストテンション方式のＰＣ構造物に並列して配置された複数のＰＣケーブルシース内へのグラウトの注入・充填が、各ＰＣケーブルシースをホースにより直列に接続して一度に行えるので、作業効率の向上、工期の短縮が図れる。
（イ）請求項２の発明によれば、
径間の短いポストテンション方式のＰＣ構造物に並列して配置された複数のＰＣケーブルシース内に挿通されたＰＣ鋼材が、それぞれグラウト注入・排出用の貫通孔を１又は複数個穿設した支圧板とくさびで定着され、またその定着部を保護するキャップに配設されたグラウト注入・排出用ホースの取付口が、前記支圧板の１又は複数個の貫通孔を介してＰＣケーブルシースに連通しているので、前記キャップのホース取付口間をホースで接続することにより、前記複数のＰＣケーブルシースを直列に接続でき、前記複数のＰＣケーブルシース内及び定着部を保護する各キャップ内に一度にグラウトが注入でき、作業効率の向上、工期の短縮が図れる。
（ウ）請求項２の発明によれば、
前記キャップに前記支圧板の１又は複数個の貫通孔を介してＰＣケーブルシース内に連通するホース取付口を設けられているので、ＰＣケーブルシース内にグラウトを注入するためホースをあらかじめコンクリート内に埋設しておく必要がなく、作業工程の削減が図れる。
【発明を実施するための最良の形態】
【０００９】
本発明の実施例を図に基づいて説明する。
図１は本発明第１の実施例の構成図、図２はグラウト注入・排出用の１又は複数個の貫通孔を有する支圧板とグラウト注入・排出用ホースの取付口を備えたキャップとを使用した本発明第２の実施例の構成図、図３はグラウト注入・排出用の貫通孔４個を有する支圧板とグラウト注入・排出用ホースの取付口を備えたキャップを使用した定着部正面の一部断面図（ａ）と側断面図（ｂ）である。
図において１はＰＣ構造物、２、２ａ、２ｂ、２ｃ、２ｄはＰＣケーブルシース、３ａ、３ａ’、３ｂ、３ｂ’、３ｃ、３ｃ’、３ｄ、３ｄ’は埋設ホース、４ａ、４ｂ、４ｃは接続ホースであり、５は圧送ポンプ、６は真空ポンプ、７は支圧板、８、８ａ、８ａ’、８ｂ、８ｂ’、８ｃ、８ｃ’、８ｄ、８ｄ’はキャップ、９、９ａ、９ｂ、９ｃ、９ｄはＰＣ鋼材、１０は貫通孔、１１はホース取付口、１２はくさびである。
【実施例１】
【００１０】
本発明第１の実施例は、図１に示すように、ＰＣ構造体１に並列して配設された複数のＰＣケーブルシース、例えば図１の場合は４つのＰＣケーブルシース２ａ、２ｂ、２ｃ、２ｄが、それぞれその両端付近にＰＣ構造体１に埋設されその外部に開口するグラウト注入・排出用ホース（以後埋設ホースと略記する）３ａ、３ａ’、３ｂ，３ｂ’３ｃ、３ｃ’，３ｄ、３ｄ’を接続されてなり、該ＰＣケーブルシースのいずれか一つ、例えばＰＣケーブルシース２ａの一方の埋設ホース３ａに圧送ポンプ５が接続され、前記圧送ポンプ５が接続されたＰＣケーブルシース２ａの他方の埋設ホース３ａ’と隣接する第２のＰＣケーブルシース２ｂの一方の埋設ホース３ｂとが接続用のホース（以下接続ホースと記す）４ａで接続され、次いで第２のＰＣケーブルシース２ｂの他方の埋設ホース３ｂ’と第３のＰＣケーブルシースの一方の埋設ホース３ｃとが接続ホース４ｂによって接続され、さらには第３のＰＣケーブルシース３ｃの他方の埋設ホース３ｃ’と第４のＰＣケーブルシース２ｄの一方の埋設ホース３ｄとが接続ホース４ｃによって接続されることによって前記複数のＰＣケーブルシース２ａ、２ｂ、２ｃ、２ｄが直列に繋がり、そして最後のＰＣケーブルシース２ｄの他方の埋設ホース３ｄ’に真空ポンプ６が接続される。
そして前記真空ポンプ６により前記複数のＰＣケーブルシース２ａ，２ｂ、２ｃ、２ｄが直列に接続され一本化されたＰＣケーブルシース内を減圧しながら、前記圧送ポンプ５を連続運転して、前記複数のＰＣケーブルシース２ａ，２ｂ、２ｃ、２ｄ内にグラウトを注入・充填する。
【００１１】
この際、直列に接続できるＰＣケーブルシースの数は、ＰＣケーブルシースの長さや内径、ＰＣ鋼材の外形や形状、注入するグラウトの粘性、圧送ポンプや真空ポンプの能力等によって異なるのは言うまでもないが、前記諸条件を勘案したうえでの注入・充填可能な長さの範囲内であれば、図１に示したような一つのＰＣ構造物１に配設された複数のＰＣケーブルシースへのグラウト注入に限らず、例えば径間の短い橋梁の隣接する複数の橋桁に配設されたＰＣケーブルシースを直列に接続してグラウトを注入・充填することも可能である。
【実施例２】
【００１２】
図２に示す本発明の第２の実施例は、ＰＣ構造物１に並列して配設された複数のＰＣケーブルシース、例えば図２の場合は４つのＰＣケーブルシース２ａ、２ｂ、２ｃ、２ｄのそれぞれに挿通されたＰＣ鋼材９ａ，９ｂ、９ｃ、９ｄが、図３に示すようなグラウト注入・排出用の貫通孔１０を１又は複数個有する支圧板７とくさび１２によって定着され、かつその定着部を保護するキャップ８に配設されたグラウト注入・排出用ホース取付口１１が、前記支圧板７の１又は複数個のグラウト注入・排出用の貫通孔１０を介してＰＣケーブルシース２に連通している。
したがって、図２に見られるように第１のＰＣケーブルシース２ａに挿通された第１のＰＣ鋼材９ａの一方の定着部を保護するキャップ８ａのホース取付口１１に圧送ポンプ５が接続され、前記圧送ポンプ５が接続された第１のＰＣケーブルシース２ａの他方の定着部のキャップ８ａ’のホース取付口１１と隣接する第２のＰＣケーブルシース２ｂに挿通された第２のＰＣ鋼材９ｂの一方の定着部を保護するキャップ８ｂのホース取付口１１とが接続ホース４ａで接続され、次いで同様に第２のＰＣ鋼材９ｂの他方の定着部のキャップ８ｂ’のホース取付口１１と第３のＰＣ鋼材９ｃの一方の定着部のキャップ８ｃのホース取付口１１とが接続ホース４ｂによって接続され、さらには第３のＰＣ鋼材９ｃの他方の定着部のキャップ８ｃ’のホース取付口１１と第４のＰＣ鋼材９ｄの一方の定着部のキャップ８ｄのホース取付口１１とが接続ホース４ｃによって接続されることによって前記複数のＰＣケーブルシース２ａ、２ｂ、２ｃ、２ｄが直列に繋がり、そして最後のＰＣ鋼材９ｄの他方の定着部のキャップ８ｄ’のホース取付口１１に真空ポンプ６が接続される。
そして前記真空ポンプ６により前記複数のＰＣケーブルシース２ａ，２ｂ、２ｃ、２ｄ、及びキャップ８ａ、８ａ’、８ｂ、８ｂ’、８ｃ、８ｃ’、８ｄ、８ｄ’内を減圧しながら、前記圧送ポンプ５を連続運転して、前記複数のＰＣケーブルシース２ａ，２ｂ、２ｃ、２ｄ及びキャップ８ａ、８ａ’、８ｂ、８ｂ’、８ｃ、８ｃ’、８ｄ、８ｄ’内にグラウトを注入・充填する。
【００１３】
この際、実施例１と同様、直列に接続できるＰＣケーブルシースの数は、ＰＣケーブルシースの長さや内径、ＰＣ鋼材の外形や形状、注入するグラウトの粘性、圧送ポンプや真空ポンプの能力等によって異なるのは言うまでもないが、前記諸条件を勘案したうえでの注入・充填可能な長さの範囲内であれば、図１に示したような一つのＰＣ構造物１に配設された複数のＰＣケーブルシースへのグラウト注入に限らず、例えば径間の短い橋梁の隣接する複数の橋桁に配設されたＰＣケーブルシースを直列に接続してグラウトを注入・充填することも可能である。
【図面の簡単な説明】
【００１４】
【図１】本発明第１の実施例の構成図
【図２】グラウト注入・排出用の貫通孔を１又は複数個有する支圧板とグラウト注入・排出用ホースの取付口を備えたキャップとを使用した本発明第２の実施例の構成図
【図３】グラウト注入・排出用の貫通孔４個を有する支圧板とグラウト注入・排出用ホースの取付口を備えたキャップを使用した定着部正面の一部断面図（ａ）と側断面図（ｂ）
【符号の説明】
【００１５】
１：ＰＣ構造物
２、２ａ、２ｂ、２ｃ、２ｄ：ＰＣケーブルシース
３ａ、３ａ’、３ｂ、３ｂ’、３ｃ、３ｃ’、３ｄ、３ｄ’：埋設ホース
４ａ、４ｂ、４ｃ：接続ホース
５：圧送ポンプ
６：真空ポンプ
７：支圧板
８、８ａ、８ａ’、８ｂ、８ｂ’、８ｃ、８ｃ’、８ｄ、８ｄ’：キャップ
９、９ａ、９ｂ、９ｃ、９ｄ：ＰＣ鋼材
１０：貫通孔
１１：ホース取付口
１２：くさび
【図１】
2006144283.tif 000003
【図２】
2006144283.tif 000004
【図３】
2006144283.tif 000005